(57)【要約】本発明は、例えば、ＣＤシート,ＤＶＤ,ＣＤＲ,ＣＤ-ＲＷ等のシート状の情報媒体用のようなシートのためのパッケージに関するものであり、外側包装部分（３）と、内側包装部分（４）とで構成されており、内側包装部分（４）は、上記外側包装部分（３）とは別に、又は、上記外側包装部分（３）と一体で且つ同一の部品として形成され、ボール紙、紙、プラスチック、ウェルパップ等により形成され、内側包装部分（４）が、上記シート（２）を支持し且つ部分的に取り囲むのと同時にシート（２）又はシートそのものを保護するカバーを構成するように、折りたたまれており、これにより、外側包装部分（３）の背の部分（５）に近接した内側（１３，１４）から、上記内側包装部分（４）は、前方に伸び、且つ、両側の二つ折り部分（７）によって、横向きに区切られた少なくとも１つの空間（６）を構成しており、該二つ折り部分（７）は、収納されたシート（２）の半径を越えて前方に伸びる長さを有している。
2006509688.tif 000002
【特許請求の範囲】
【請求項１】
例えば、ＣＤシート，ＤＶＤ,ＣＤＲ,ＣＤ-ＲＷ等のシート状の情報媒体のようなシートのための、パッケージであって、外側包装部分（３）と、内側包装部分（４）とで構成されており、内側包装部分（４）は、上記外側包装部分（３）とは別に、又は、上記外側包装部分（３）と一体で且つ同一の部品として形成され、ボール紙、紙、プラスチック、ウェルパップ等により形成され、上記内側包装部分（４）が上記シート（２）を支持し且つ部分的に取り囲むのと同時に、シート又はシートそのものを保護するカバーを構成するように、二つ折りされており、これにより、外側包装部分（３）の背の部分（５）に近接した内側（１３；１４）から、上記内側包装部分（４）は、前方に伸び、且つ、両側の二つ折り部分（７）によって、横向きに区切られた、少なくとも１つの空間（６）を構成しており、二つ折り部分（７）は、収納されたシート（２）の半径を越えて前方に伸びる長さを有しており、パッケージ（１）が、閉じている間、及び、ほぼ半分開くまで、即ち、半分開く直前までの間、上記空間（６）は、空間（６）から上記シート（２）が滑り出ないように、二つ折り部分（７）が互いの向きに収斂することによって、上記二つ折り部分の前方への広がりが収納されたシート（２）の半径より大きくなった後に、シート（２）の直径より小さい開放幅を有しており、パッケージ（１）が継続して開いている間、及び、完全に開くまでの間、上記空間（６）は、シートの直径よりも大きな開放幅を有し、且つ、空間からシートを取り出しやすくしていることを特徴とするパッケージ。
【請求項２】
パッケージが継続して開いている間、及び、完全に開くまでの間、シート（２）を同じように有している空間（６）は、シート（２）を掴みやすいように押し出すために、自動的に持ち上げられる、請求項１記載のパッケージ。
【請求項３】
それぞれの二つ折り部分（７）は、少なくとも１つの外側折り曲げ線（Ｃ)に沿って互いに向き合って折り曲げ可能な２つの部分（８，９）により構成されており、２つの部分（８，９）は、上部及び下部折り曲げ線（Ａ,Ｂ)によって、上記内側包装部分（４）内に折り曲げ可能に形成されており、上記上部折り曲げ線（Ａ)は、それぞれそれらの部分（１０）にわたり伸びており、部分（１０）は、順に、折り曲げ線（Ｄ)によって、部分（１１）と左右対称に接続されて折り曲げ可能であり、該部分（１１）は、最後に記載した折り曲げ線（Ｄ)によって前方の範囲が定められ、外側及び内側包装部分（３，４）の幅に横向きに伸びる折り曲げ線（Ｅ)によって後方の範囲が定められており、折り曲げ線（Ｅ)は、部分（１２）にわたり伸びており、部分（１２）は、外側包装部分（３）の内側部分（１３，１４）即ち前面又は後面の内側部分のいずれにも、フラップ（１７）を介してその背の部分（５）から少しの長さだけ、伸びており、フラップ（１７）は、第１内側部分（１３）に対して固定され、且つ、背の部分（５）に向かって、又は二つ折り部分（７）の下部折り曲げ線（Ｂ)が部分（１５）にわたり伸びるのと同時に、第１内側部分（１３）とは反対方向に、伸びており、部分（１５）は、折り曲げ線（Ｇ)を介して、部分（１６）にわたり折り曲げ可能に伸びており、部分（１６）は、外側包装部分（３）の他の内側部分（１４）に対して固定されている、ことを特徴とする請求項１記載のパッケージ。
【発明の詳細な説明】
【発明の詳細な説明】
【０００１】
本発明は、例えば、ＣＤシート，ＤＶＤ，ＣＤＲ，ＣＤ-ＲＷ等のシート状の情報媒体用のようなシートのためのパッケージに関するものであり、外側包装部分と、内側包装部分とで構成されており、内側包装部分は、上記外側包装部分とは別に、又は、外側包装部分と共に同じ部品上に一体に形成され、同時に協同する、ボール紙、紙、プラスチック、ウェルパップ(wellpapp)等により形成されており、上記内側包装部分が、１枚又は複数のシートそのものを保護すると同時に、内側包装部分がシート自体を保持し且つ部分的に取り囲むように、折り曲げられているものに関する。
【０００２】
市場には、今日、シート、例えば、ＣＤシート用の幾つかの異なるタイプの、通常、硬いプラスチック製の、包装又はパッケージが在る。これらのパッケージは、弱く、あらく用いると簡単に壊れてしまう。このタイプのパッケージの他の欠点は、紙や他のシート形成材料により簡単に提供できるパッケージに比べ厚いことである。市場にあり、且つ、折りたたまれたボール紙ブランク（carton blank）により形成されているタイプのパッケージは、ＣＤシートが該パッケージから簡単に滑り出てしまうという欠点を有している。また、本として形成され、更に、ＣＤシートの上に歌曲の説明を含んでいる、ボール紙のタイプのパッケージが在る。また、このタイプのパッケージは、パッケージが開かれた時に、ＣＤシートが簡単に滑り出してしまうという欠点を有している。
【０００３】
本発明の目的は、上述したタイプの目的で形成されたシート用の新しいパッケージであって、既に知られているパッケージの持つ欠点を除去したものを提供することである。本発明の特徴は、以下のクレームで説明される。
【０００４】
本発明により、シート状の物のために新しいパッケージが提供されたことで、素晴らしい方法で、その目的を達成することができた。パッケージ自身は、本発明によれば、外側包装部分と、内側包装部分とで構成されている。上記内側包装部分は、特別な方法でシートそのものを掴み、保持し、これにより、パッケージが開かれるまで、シートがパッケージから滑り出ないようになっている。パッケージを開くことは、以下の通り行われる。即ち、パッケージが本と同じ方法で開かれ、まず、パッケージが半分以上開いた後に、シート自身が取り出せるようになる。シートの取り出しは、以下の理由で簡単になる。即ち、パッケージを開くことにより、自動的に、シートを含んでいる、内側包装部分が空間上に持ち上がり、パッケージを開く動作に伴い外側包装部分が半分以上開かれた時、シートを、使用者にとって非常に取り出しやすい状態にする。換言すれば、このことは、シートを保護している、パッケージ又は包装部分が、閉ざされた状態、そして、半分開いた状態にある時、シートは、折りたたまれたかぎつめ状のものにより、その位置に保たれており、包装部分が完全に開かれた時、上記かぎつめ状のものが開き、シートを掴みやすくするため、上記シートを持ち上げ、且つ、押し出すことを意味する。
【０００５】
本発明は、添付図面の好ましい実施形態の一例により、以下に説明される。
【０００６】
図より判るように、パッケージ１は、シート２に対する本発明の好ましい実施例を示しており、例えば、シート形成情報を保有しており、ボール紙、紙、プラスチック、ウェルパップや同様のものでできた外側包装部材３と、外側包装部分３と同じ材料で形成できる内側包装部分４と、で構成されている。内側包装部分４は、該内側包装部分４がシート２自体を支持し、部分的に取り囲むと同時に、シート２を保護するカバーを構成するように二つ折りされた部分を有している。例示されている内側包装部分は、別に形成された後に、外側包装部分３に取り付けられるものであるが、内側包装部分４と、外側包装部分３とは、また、互いに別々に形成することができる。
【０００７】
図から判るように、内側包装部分４は、外側包装部分３に関して、これら２つの包装部分がシート２を収納し、且つ、取り出すように協同するように、固定され、且つ、形成されている。
【０００８】
その背の部分５に近接した位置の外側包装部分３の内側１３から、内側包装部分４は、前向きに伸び、且つ、両側の二つ折り部分７により、横向きに区切られた空間６を形成する。該二つ折り部分７は、上記背の部分５から前方に伸びる長さを有しており、収納されたシート２の半径を越えて長く伸びている。これにより、パッケージ（１）が閉じている間、そして、ほぼ半分開くまで、即ち、半分開く直前までの間、上記空間６は、上記空間６から上記シート２が滑り出ないように、上記二つ折り部分７が互いの向きに収斂する結果、上記二つ折り部分７の前方への広がりが収納されたシート２の半径よりも大きくなった後に、シート２の直径より小さい開放幅を有している。そして、パッケージ１が継続して開いている間、及び、完全に開くまでの間、上記空間６は、シート２の直径より大きな開放幅を有し、同時に、収納されたシート２を有している空間６は、上記シート２を上方に自動的に持ち上げ、且つ、押し出して、シート２を掴みやすいようにする。
【０００９】
図５に詳細に示してあるように、内側包装部分４の上記空間６は、２つの二つ折り部分７により構成されている。該二つ折り部分７は、二重の折り曲げ線（crasing line）で示されている２本の折り曲げ線Ｃであって、折り曲げ可能であり、且つ、三角形に形成された部分８，９を互いに向き合わすものと、順に、上部，下部の折り曲げ線Ａ,Ｂを介して、上記内側包装部分４内で折り曲げ可能に形成された、三角形に形成された部分８，９と、で構成されている。上部折り曲げ線Ａは、それぞれ、三角形に形成された部分１０に伸びており、部分１０は、順に、折り曲げ線Ｄを介して、三角形に形成された部分１１により、折り曲げ可能であり、且つ、左右対称に接続されている。三角形に形成された部分１１は、上記背の部分５から見て前方の、最後に言及した折り曲げ線Ｄにより範囲が定められている。折り曲げ線Ｄは、同一の長さで、三角形に形成された部分１１の２辺を形成しており、上記部分の底辺は、横向きに伸びている折り曲げ線Ｄの範囲を定めている。折り曲げ線Ｅは、部分１２にわたり伸びている。三角形に形成された部分１１は、部分１２で折り曲げ可能なように用意されている。部分１２の底辺は、折り曲げ線Ｆで形成されている。折り曲げ線Ｆにより、部分１２は、フラップ１２によって、背の部分５から少しの長さだけ、即ち、前面又は後面の内側部分に、外側包装部分３の２つの内側部分１３又は１４のいずれに対しても、折り曲げ可能に接続されている。フラップ１７は、前の内側部分１３に対して固定することができ、且つ、背の部分５に向かって、又は、前の内側部分１３を覆う上向きである、反対方向に、伸ばされるようになっている。二つ折り部分７の下部折り曲げ線Ｂは、部分１５にわたり伸びている。部分１５は、折り曲げ線Ｇを介して、折り曲げ可能なように、部分１６にわたり伸びている。部分１６は、外側包装部分３の背の内側部分１４に固定されている。
【００１０】
図５には、上述したように、パッケージ１の内泡包装部分４が、その折り曲げ線と部分とを用いて、どのようにして形成されるのかが示されており、且つ、この図から、部分１１が折り曲げ線Ｄ，Ｅを有していることは特別なことであり、該特別なこととは、内側包装部分４が外側包装部分３と協同している間に、かぎつめ状のものを開閉するようにし、又は、開閉するように影響を及ぼすものである、ということが示されていた。
【図面の簡単な説明】
【００１１】
【図１】本発明によるパッケージであって、パッケージが開かれ、シートを取り出すために、該シートが上に持ち上げられている状態のパッケージの斜視図を示している。
【図２】閉じた状態にあるパッケージを斜め上から見た略斜視図を示している。
【図３】図２と同様に、パッケージを斜め上から見た図であるが、パッケージが半分開けられ、かぎつめ状のものがシートを開放しつつある状態を示している。
【図４】パッケージを斜め上から見た図であり、パッケージが完全に開き、上記かぎつめ状のものにより全く保持されていない状態を示している。
【図５】上記外側包装部分と協同し、シート自体を支持する、内側包装部分として用いられる、ブランクの平面図を示している。
【図１】
2006509688.tif 000003
【図２】
2006509688.tif 000004
【図３】
2006509688.tif 000005
【図４】
2006509688.tif 000006
【図５】
2006509688.tif 000007
【国際調査報告】
2006509688.tif 000008
2006509688.tif 000009
2006509688.tif 000010
2006509688.tif 000011